【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
複数の発光部を有する面発光型のレーザ光源と、前記複数の発光部から射出された複数の光束を他の状態の光束に変換する集光素子を含む第１の光学系と、前記第１の光学系から射出された光束を偏向する偏向手段と、前記偏向手段の偏向面により偏向された光束を被走査面上に結像させる第２の光学系と、を有する走査光学装置において、
前記レーザ光源の複数の発光部は、少なくとも副走査方向に離間して配置されており、
前記第２の光学系を構成する少なくとも１つの結像光学素子の光学面の形状は、副走査断面内において非円弧形状であり、
前記複数の発光部の発光部の数をＮ、前記集光素子の焦点距離をＦｃｏｌ(mm)、前記集光素子の有効最大イメージサークルをＩＳ(mm)、前記第２の光学系の副走査方向の結像倍率をβＦθ、前記複数の光束の被走査面上における副走査方向のビーム間隔をＤＰＩ(mm)とするとき、
０．１８(1/mm)≦（Ｎ-１）×Ｆｃｏｌ／（ＩＳ×βＦθ×ＤＰＩ）≦１２．００(1/mm)
なる条件を満足することを特徴とする走査光学装置。
【請求項２】
０．２４(1/mm) ≦（Ｎ−１）×Ｆｃｏｌ／（ＩＳ×βＦθ×ＤＰＩ）≦８．７８(1/mm)
なる条件を満足することを特徴とする請求項１に記載の走査光学装置。
【請求項３】
前記レーザ光源と前記偏向手段との間に絞りを有し、前記絞りと前記偏向手段との間に配置され、前記絞りに隣接した光学素子の光学面は、副走査断面内において非円弧形状であることを特徴とする請求項１又は２に記載の走査光学装置。
【請求項４】
前記副走査方向の画角の変化によって生じる前記第１の光学系の副走査方向の像面湾曲の変化方向と、前記第２の光学系の副走査方向の像面湾曲の変化方向とが逆方向であることを特徴とする請求項１乃至３の何れか一項に記載の走査光学装置。
【請求項５】
前記副走査方向の画角の変化によって生じる前記第１の光学系の副走査方向の歪曲収差の変化方向と、前記第２の光学系の副走査方向の歪曲収差の変化方向とが逆方向であることを特徴とする請求項１乃至３の何れか一項に記載の走査光学装置。
【請求項６】
複数の発光部を有する面発光型のレーザ光源と、前記複数の発光部から射出された複数の光束を他の状態の光束に変換する集光素子を含む第１の光学系と、前記第１の光学系から射出された光束を偏向する偏向手段と、前記偏向手段の偏向面により偏向された光束を被走査面上に結像させる第２の光学系と、を有する走査光学装置において、
前記レーザ光源の複数の発光部は、少なくとも副走査方向に離間して配置されており、
前記複数の発光部のうち、副走査断面内で光軸から最も遠くにある発光部から射出された光束の主光線が、前記第１の光学系及び前記第２の光学系を構成する各々の光学素子を通過する際に光軸から最も遠い位置を通過する光学素子の光学面の少なくとも１つは、副走査断面内において非円弧形状であることを特徴とする走査光学装置。
【請求項７】
前記非円弧形状の光学面は、前記第２の光学系の結像光学素子Ｇａの光学面であり、前記集光素子の焦点距離をＦｃｏｌ、副走査断面内における前記光軸から最も遠くにある発光部の距離をＬ０、前記結像光学素子Ｇａの光学面と前記偏向手段の光軸方向の距離をＳＩ、前記第１の光学系の副走査方向の結像倍率をβ０、前記集光素子の入射側の副走査断面内のＦ値をＦｎｏとするとき、
０．１０＜｜（ＳＩ×／Ｆｃｏｌ＋β０）×Ｌ０／（ＳＩ／（Ｆｎｏ×β０×２）｜＜５．４３
なる条件を満足することを特徴とすることを特徴とする請求項６に記載の走査光学装置。 
【請求項８】
前記レーザ光源と前記偏向手段との間に絞りを有し、前記絞りと前記偏向手段との間に配置され前記絞りに隣接した光学素子の光学面は、副走査断面内において非円弧形状であることを特徴とする請求項６に記載の走査光学装置。
【請求項９】
前記副走査方向の画角の変化によって生じる前記第１の光学系の副走査方向の像面湾曲の変化方向と、前記第２の光学系の副走査方向の像面湾曲の変化方向とが逆方向であることを特徴とする請求項６乃至８の何れか一項に記載の走査光学装置。
【請求項１０】
前記副走査方向の画角の変化によって生じる前記第１の光学系の副走査方向の歪曲収差の変化方向と、前記第２の光学系の副走査方向の歪曲収差の変化方向とが逆方向であることを特徴とする請求項６乃至８の何れか一項に記載の走査光学装置。
【請求項１１】
請求項１乃至請求項１０の何れか一項に記載の走査光学装置と、前記被走査面に配置された感光体と、前記走査光学装置で走査された光束によって前記感光体の上に形成された静電潜像をトナー像として現像する現像手段と、現像されたトナー像を被転写材に転写する転写手段と、転写されたトナー像を被転写材に定着させる定着手段とを有することを特徴とする画像形成装置。
【請求項１２】
請求項１乃至請求項１０の何れか一項に記載の走査光学装置と、外部機器から入力したコードデータを画像信号に変換して前記走査光学装置に入力せしめるプリンタコントローラとを有していることを特徴とする画像形成装置。
【手続補正２】
【補正対象書類名】明細書
【補正対象項目名】００３２
【補正方法】変更
【補正の内容】
【００３２】
請求項１の発明の走査光学装置は、複数の発光部を有する面発光型のレーザ光源と、前記複数の発光部から射出された複数の光束を他の状態の光束に変換する集光素子を含む第１の光学系と、前記第１の光学系から射出された光束を偏向する偏向手段と、前記偏向手段の偏向面により偏向された光束を被走査面上に結像させる第２の光学系と、を有する走査光学装置において、
前記レーザ光源の複数の発光部は、少なくとも副走査方向に離間して配置されており、
前記第２の光学系を構成する少なくとも１つの結像光学素子の光学面の形状は、副走査断面内において非円弧形状であり、
前記複数の発光部の発光部の数をＮ、前記集光素子の焦点距離をＦｃｏｌ(mm)、前記集光素子の有効最大イメージサークルをＩＳ(mm)、前記第２の光学系の副走査方向の結像倍率をβＦθ、前記複数の光束の被走査面上における副走査方向のビーム間隔をＤＰＩ(mm)とするとき、
０．１８(1/mm)≦（Ｎ-１）×Ｆｃｏｌ／（ＩＳ×βＦθ×ＤＰＩ）≦１２．００(1/mm)
なる条件を満足することを特徴としている。
【手続補正３】
【補正対象書類名】明細書
【補正対象項目名】００３３
【補正方法】変更
【補正の内容】
【００３３】
請求項２の発明は請求項１の発明において、
０．２４(1/mm) ≦（Ｎ−１）×Ｆｃｏｌ／（ＩＳ×βＦθ×ＤＰＩ）≦８．７８(1/mm)
なる条件を満足することを特徴としている。
【手続補正４】
【補正対象書類名】明細書
【補正対象項目名】００３４
【補正方法】変更
【補正の内容】
【００３４】
請求項３の発明は請求項１又は２の発明において、前記レーザ光源と前記偏向手段との間に絞りを有し、前記絞りと前記偏向手段との間に配置され、前記絞りに隣接した光学素子の光学面は、副走査断面内において非円弧形状であることを特徴としている。
【手続補正５】
【補正対象書類名】明細書
【補正対象項目名】００３５
【補正方法】変更
【補正の内容】
【００３５】
請求項４の発明は請求項１乃至３のいずれか一項の発明において、前記副走査方向の画角の変化によって生じる前記第１の光学系の副走査方向の像面湾曲の変化方向と、前記第２の光学系の副走査方向の像面湾曲の変化方向とが逆方向であることを特徴としている。
【手続補正６】
【補正対象書類名】明細書
【補正対象項目名】００３６
【補正方法】変更
【補正の内容】
【００３６】
請求項５の発明は請求項１乃至３のいずれか一項の発明において、前記副走査方向の画角の変化によって生じる前記第１の光学系の副走査方向の歪曲収差の変化方向と、前記第２の光学系の副走査方向の歪曲収差の変化方向とが逆方向であることを特徴としている。
【手続補正７】
【補正対象書類名】明細書
【補正対象項目名】００３７
【補正方法】変更
【補正の内容】
【００３７】
請求項６の発明の走査光学装置は、複数の発光部を有する面発光型のレーザ光源と、前記複数の発光部から射出された複数の光束を他の状態の光束に変換する集光素子を含む第１の光学系と、前記第１の光学系から射出された光束を偏向する偏向手段と、前記偏向手段の偏向面により偏向された光束を被走査面上に結像させる第２の光学系と、を有する走査光学装置において、
前記レーザ光源の複数の発光部は、少なくとも副走査方向に離間して配置されており、
前記複数の発光部のうち、副走査断面内で光軸から最も遠くにある発光部から射出された光束の主光線が、前記第１の光学系及び前記第２の光学系を構成する各々の光学素子を通過する際に光軸から最も遠い位置を通過する光学素子の光学面の少なくとも１つは、副走査断面内において非円弧形状であることを特徴としている。
【手続補正８】
【補正対象書類名】明細書
【補正対象項目名】００３８
【補正方法】変更
【補正の内容】
【００３８】
請求項７の発明は請求項６の発明において、前記非円弧形状の光学面は、前記第２の光学系の結像光学素子Ｇａの光学面であり、前記集光素子の焦点距離をＦｃｏｌ、副走査断面内における前記光軸から最も遠くにある発光部の距離をＬ０、前記結像光学素子Ｇａの光学面と前記偏向手段の光軸方向の距離をＳＩ、前記第１の光学系の副走査方向の結像倍率をβ０、前記集光素子の入射側の副走査断面内のＦ値をＦｎｏとするとき、
０．１０＜｜（ＳＩ×／Ｆｃｏｌ＋β０）×Ｌ０／（ＳＩ／（Ｆｎｏ×β０×２）｜＜５．４３
なる条件を満足することを特徴とすることを特徴としている。
【手続補正９】
【補正対象書類名】明細書
【補正対象項目名】００３９
【補正方法】変更
【補正の内容】
【００３９】
請求項８の発明は請求項６の発明において、前記レーザ光源と前記偏向手段との間に絞りを有し、前記絞りと前記偏向手段との間に配置され前記絞りに隣接した光学素子の光学面は、副走査断面内において非円弧形状であることを特徴としている。
【手続補正１０】
【補正対象書類名】明細書
【補正対象項目名】００４０
【補正方法】変更
【補正の内容】
【００４０】
請求項９の発明は請求項６乃至８のいずれか一項の発明において、前記副走査方向の画角の変化によって生じる前記第１の光学系の副走査方向の像面湾曲の変化方向と、前記第２の光学系の副走査方向の像面湾曲の変化方向とが逆方向であることを特徴としている。
【手続補正１１】
【補正対象書類名】明細書
【補正対象項目名】００４１
【補正方法】変更
【補正の内容】
【００４１】
請求項１０の発明は請求項６乃至８のいずれか一項の発明において、前記副走査方向の画角の変化によって生じる前記第１の光学系の副走査方向の歪曲収差の変化方向と、前記第２の光学系の副走査方向の歪曲収差の変化方向とが逆方向であることを特徴としている。
【手続補正１２】
【補正対象書類名】明細書
【補正対象項目名】００４２
【補正方法】変更
【補正の内容】
【００４２】
請求項１１の発明の画像形成装置は、請求項１乃至請求項１０の何れか一項に記載の走査光学装置と、前記被走査面に配置された感光体と、前記走査光学装置で走査された光束によって前記感光体の上に形成された静電潜像をトナー像として現像する現像手段と、現像されたトナー像を被転写材に転写する転写手段と、転写されたトナー像を被転写材に定着させる定着手段とを有することを特徴としている。
【手続補正１３】
【補正対象書類名】明細書
【補正対象項目名】００４３
【補正方法】変更
【補正の内容】
【００４３】
請求項１２の発明の画像形成装置は、請求項１乃至請求項１０の何れか一項に記載の走査光学装置と、外部機器から入力したコードデータを画像信号に変換して前記走査光学装置に入力せしめるプリンタコントローラとを有していることを特徴としている。
【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００５４
【補正方法】変更
【補正の内容】
【００５４】
２は集光手段としてのコリメータレンズ（集光レンズ)（集光素子）であり、光源手段１から放射された光束を略平行光束に変換している。
【手続補正１９】
【補正対象書類名】明細書
【補正対象項目名】００５７
【補正方法】変更
【補正の内容】
【００５７】
尚、コリメータレンズ２、開口絞り３、そしてシリンドリカルレンズ（シリンダレンズ）４等の各要素は第１光学手段（入射光学系）（第１の光学系）ＬＡの一要素を構成している。尚、コリメータレンズ２とシリンドリカルレンズ４を１つの光学素子(アナモフィックレンズ)より構成しても良い。
【手続補正２０】
【補正対象書類名】明細書
【補正対象項目名】００５９
【補正方法】変更
【補正の内容】
【００５９】
６は第２光学手段としての結像光学系(ｆθレンズ系)（第２の光学系）であり、樹脂製(プラスチック製)の材料より成る第１、第２の結像レンズ６１，６２を有している。第２光学手段６は光偏向器５によって反射偏向された画像情報に基づく光束を被走査面としての感光ドラム面７上に結像させ、かつ副走査断面内においては光偏向器５の偏向面５ａと感光ドラム面７との間を共役関係にすることにより面倒れ補正を行っている。
【手続補正２１】
【補正対象書類名】明細書
【補正対象項目名】００８７
【補正方法】変更
【補正の内容】
【００８７】
０．２４(1/mm)≦（Ｎ−１）×Ｆｃｏｌ／（ＩＳ×βＦθ×ＤＰＩ）≦８．７８(1/mm)  ‥‥(2)
また本実施例においてはコリメータレンズ２の焦点距離をＦｃｏｌ、副走査断面内における複数の発光部の光軸からの距離のうち最大値をＬ０、該第２の結像レンズ６２（結像光学素子Ｇａ）の出射面と光偏向器５との光軸方向の距離をＳＩ、入射光学系ＬＡの副走査方向の結像倍率をβ０、コリメータレンズ２の入射側の副走査断面内のＦ値をＦｎｏとするとき、
０．１０＜｜（ＳＩ×／Ｆｃｏｌ＋β０）×Ｌ０／（ＳＩ／（Ｆｎｏ×β０×２）｜＜５．４３‥‥(3)
なる条件を満足している。
【手続補正２２】
【補正対象書類名】明細書
【補正対象項目名】０１０９
【補正方法】変更
【補正の内容】
【０１０９】
本実施例において前述の実施例１と特に異なる点は、絞り３に隣接したコリメータレンズ２０の出射面を非球面形状としたことである。その他の構成及び光学的作用は実施例１と同様であり、これにより同様な効果を得ている。